(57)【要約】【課題】エア配管の剛性を低下させることなく、圧縮エアに含まれる水分の流出を防止し得る圧縮エア分岐用チーズを提供する。【解決手段】一次側及び二次側に管継手を設けると共に、当該継手間の流路を分岐して圧縮エアを分配する分岐部を設けたチーズであって、内部に前記分岐部から同軸上に前記流路途中まで突出するエア流入部を設けた。エア流入部は、その上面が継手間の流路の中心よりも下方に位置させた。また、エア流入部は、円筒状に形成し、その左右に圧縮エアに含まれる水分の通路を確保した。【選択図】図２
2015227685.tif 000002
【特許請求の範囲】
【請求項１】
一次側及び二次側に管継手を設けると共に、当該継手間の流路を分岐して圧縮エアを分配する分岐部を設けたチーズであって、前記流路の内部に前記分岐部側から同軸上に前記流路途中まで突出するエア流入部を設けたことを特徴とする圧縮エア分岐用チーズ。
【請求項２】
エア流入部は、その上面が継手間の流路の中心よりも下方に位置する請求項１記載の圧縮エア分岐用チーズ。
【請求項３】
エア流入部は、円筒状に形成し、その左右に水の通路を確保した請求項１または２記載の圧縮エア分岐用チーズ。
【請求項４】
さらに、分岐部とは反対側外面に吊下部を設けた請求項１、２または３記載の圧縮エア分岐用チーズ。
【請求項５】
さらにまた、分岐部に開閉弁を一体的に設けた請求項１から４のうち何れか一項記載の圧縮エア分岐用チーズ。
【発明の詳細な説明】
【技術分野】
【０００１】
この発明は、圧縮エアを対象流体とするエア配管に適用する分岐用チーズに関するものである。
【背景技術】
【０００２】
非特許文献１には、エアガン等のエア工具に圧縮エアを分配するエア配管が開示されている。
【先行技術文献】
【非特許文献】
【０００３】
【非特許文献１】「エアライナー（登録商標）」、日東工器株式会社、２０１３年６月、カタログＮＯ．Ｃ００３Ｇ
【発明の概要】
【発明が解決しようとする課題】
【０００４】
エア配管は、管路の任意箇所を分岐して、この分岐部にエアガン等のエア工具を接続するが、圧縮エアには結露等で生じた水分が含まれており、これが圧縮エアと共にエア工具に流出すると、エア工具が故障したりワークに悪影響を及ぼす。
【０００５】
特に、エア配管を水平に敷設した場合、水分は管内の底側を流れる傾向にあることから、従来は、短い鋼管を継ぎ足して、エア工具を接続する分岐部に立ち上げ配管を構成していたが、継手の数が多くなる分、施工に手間やコストがかかり、また接続不良によるエア漏出の機会も多くなる。
【０００６】
この点に関して、非特許文献１のエア配管では、管壁に横穴を開け、専用のブラケットにより前記横穴を通じて圧縮エアを取り出すようにして、エア工具側の圧縮エアに水分が混入することを防止している。しかし、管壁に横穴を設けると管の剛性が低下し、エア工具の重量や使用時の引張荷重によって管が折曲破損するおそれがある。
【０００７】
本発明は上述した課題を解決するためになされたもので、その目的とするところは、管の剛性を低下させることなく、圧縮エアに含まれる水分が分岐側（エア工具側）に流出することを防止することができる圧縮エア分岐用チーズを提供することである。
【課題を解決するための手段】
【０００８】
上述した目的を達成するために本発明では、一次側及び二次側に管継手を設けると共に、当該継手間の流路を分岐して圧縮エアを分配する分岐部を設けたチーズであって、前記流路の内部に前記分岐部側から同軸上に前記流路途中まで突出するエア流入部を設けるという手段を用いた。この手段によれば、本発明のチーズを分岐部を下向きにしてエア配管に取り付けた場合、エア流入部がチーズ内で立ち上がっているので、圧縮エアに含まれる水分が分岐部側に流入することを防止することができる。即ち、圧縮エアに含まれる水分はエア流入部に衝突して、その下に溜まることで、圧縮エアだけを分岐部から取り出すことができる。
【０００９】
エア流入部の形状や、どれだけの突出量（立ち上がり高さ）とするかは自由であり、突出量が大きいほうが水分の流入防止効果が高いのであるが、大きすぎると管継手間の流路を塞ぐ量も大きくなり、圧縮エアの圧力損失が大きくなる。したがって、エア流入部の突出量は、その上面が分岐部寄りに前記流路の中心よりも若干下方に位置する程度とすることが好ましい。
【００１０】
また、エア流入部の形状は円筒状とすることが好ましい。エア流入部を円筒状に形成することで、その左右に継手間流路に通じる隙間が形成され、この隙間を通じてエア流入部の手前（一次側）に溜まった水を圧縮エアの流圧によって二次側へと飛散させることができるからである。つまり、水分を堰き止めるだけでは、やがて水位がエア流入部を超えて分岐部側に流入するおそれがあるが、エア流入部を円筒状として、その左右に水の飛散通路を確保することで、このようなおそれを解消する。
【００１１】
さらに、本発明のチーズは、前記分岐部とは反対側外面に吊下部を設けることが好ましい。この手段により、天井に沿って敷設したエア配管に本発明チーズを取り付け、その分岐部にエア工具を接続したとき、エア工具は当該チーズを介して天井に吊持されることになるため、エア工具の重量や使用時の引張荷重によってエア配管そのものが曲がったり、傾いたりすることがない。
【００１２】
さらにまた、本発明のチーズは、分岐部に開閉弁を一体的に設けたものであることが好ましい。分岐部に対してエア工具を別のものに付け替えたりするときなどに、エア出力を調整したり一時中断できるからである。
【発明の効果】
【００１３】
本発明によれば、分岐部と同軸上に内部に突出する円筒部を設けているため、圧縮エアに含まれる水分は円筒部を迂回するように流れ、該水分が分岐部から流出することを防止することができる。
【図面の簡単な説明】
【００１４】
【図１】本発明の一実施形態に係るチーズを適用したエア配管の全体図
【図２】同、チーズの側面視断面図
【図３】同、チーズの正面視断面図
【発明を実施するための形態】
【００１５】
以下、本発明の好ましい実施の形態を添付した図面に従って説明する。図１は、本発明の一実施形態に係るチーズをエア配管に適用したエア配管全体を示したもので、主幹エア管１にループ配管２・３を並列に接続してエア配管を構成している。主幹エア管１はコンプレッサ等（図示せず）をエア源として、ループ配管２・３それぞれにゲートバルブを介して圧縮エア（圧縮空気）を供給している。ループ配管２・３は数本の管部材をエルボによって無端ループ状に接続したものを、天井に沿って水平に吊下している。４・・４はループ配管２・３を天井に吊下する吊バンドである。
【００１６】
ループ配管２・３の管路中にはエア工具５・・・５を取り付けおり、本実施形態ではエア工具５・・５としてワーク清掃用のエアガンを例示している。エア工具５・・・５はコイル型のエアホース６を介してループ配管２・３に吊り下げた状態で取り付けている。そして、エアホース６の一次側はエア出力用のチーズ７（本発明のチーズ）に接続している。
【００１７】
このエア出力用チーズ７は、図２に示すように、エアホース６を接続する分岐部７ａを下向きにしてループ配管２・３に取り付けるが、本発明では、分岐部７ａと反対側外面に天井への吊下部（ブラケット部）７ｂを設けている。この吊下部７ｂによってチーズ７を天井に吊持することで、エア工具５の重量や使用時の引張荷重は天井に分散し、ループ配管２・３に直接作用しないようにしている。
【００１８】
さらに、この実施形態において、吊下部７ｂは図３に明らかなように、鉛直方向上向きに突出する板状片に、厚み方向に貫通する貫通孔を設けて、これを天井から垂下した上下に長い板状の吊持金具にボルト・ナットにより固定可能な構造としている。つまり、吊下部７ｂを天井からの吊持金具と互いの板面を重ね合わせてボルト・ナットにより固定することができるようにしている。したがって、使用時の引張荷重に対してねじれが発生することを防止できる。
【００１９】
また、エア出力用チーズ７は、内部構造として分岐部７ａから同軸上に流路途中まで円筒部７ｃ（本発明のエア流入部）を突設している。円筒部７ｃは上面が開口しており、この開口から圧縮エアを分岐部７ａに分岐する。本実施形態では、一次側と二次側を結ぶ直線状の流路（図面上、左右に水平な流路）の中心よりも若干下方に上面が位置するように円筒部７ｃを突設している。
【００２０】
この構成により、圧縮エア中に含まれる水分Ｗは円筒部７ｃに衝突し、円筒部７ｃの上面開口への侵入が阻止されている。したがって、エア工具５に水分が流出することは防止される。
【００２１】
また、図３に示すように、円筒部７ｃの左右には水Ｗの通路７ｄ（Ｖ字状の隙間）が形成されている。このため、円筒部７ｃによって堰き止められた水Ｗは、その水位が円筒部７ｃと同じ高さになる前に、前記通路７ｄによって円筒部７ｃを回り込むように圧縮エアと共に二次側に飛散していく。
【００２２】
さらに、分岐部７ａが鉛直方向を向いておらず傾いていると、円筒部７ｃに堰き止められた水Ｗが分岐部７ａに流入しやすくなるが、この実施形態では、吊下部７ｂを上述のような構造とし、天井からの吊持金具と面合わせで固定することで、分岐部７ａを常に真下（鉛直方向）に向けて取り付けられるから、このような不都合が生じない。
【００２３】
なお、エア出力用チーズ７は、分岐部７ａに開閉弁（図示せず）を一体的に設けることができる。この開閉弁によって分岐部７ａからのエア出力を開閉制御できる。したがって、エア工具５を別のものに付け替えるときに、開閉弁を閉操作することで、エア出力を調整したり一次停止することができる。
【００２４】
さらに、チーズ７の一次側と二次側の管継手はエア配管を接続できるものであれば構成を限定しないが、管表面が樹脂層により形成されているエア配管の場合は、袋ナットの締め込みによりチャックリングを縮径し、もって接続配管の抜けを防止するメカニカル継手を採用することが好ましく、さらにはワンタッチ継手により管継手を構成することが作業面からより好ましいものである。
【符号の説明】
【００２５】
１  主幹エア管
２・３  ループ配管
４  吊バンド
５  エア工具
６  エアホース
７  エア出力用チーズ
７ａ  分岐部
７ｂ  吊下部
７ｃ  円筒部
７ｄ  水の通路
【図２】
2015227685.tif 000003
【図３】
2015227685.tif 000004
【図１】
2015227685.tif 000005